(57)【要約】【課題】簡便な組立て式でありながら、開封作業も行いやすい情報保護シートを提供する。【解決手段】商品注文用紙１００は、切取ミシン目ｍｃ１によって切り取り可能な４つの封書（情報保護シート）１０を備え、各封書１０は、商品申込書であって、基材１１と、基材１１の表面に設けられ、必要事項を記入するための記入面１２と、基材１１の右半分の周縁部にコの字状に設けられ、水分で活性化する再湿糊１３と、基材１１の中央付近の天辺から地辺までに設けられ、封書１０を２つ折りするための折りミシン目ｍｃ２と、基材１１の一部であって、再湿糊１３よりも内側に設けられ、この封書１０を開封する開封用ミシン目ｍｃ３などとを備える。【選択図】図１
2006272944.tif 000002
【特許請求の範囲】
【請求項１】
秘匿情報欄を有する基材と、
前記基材の周縁部の一部又は全部に設けられ、前記秘匿情報欄を内部に隠蔽するように折り畳まれた前記基材を封緘する封緘手段と、
前記基材及び／又は前記封緘手段に設けられ、この情報保護シートを開封する開封手段と、
を備える情報保護シート。
【請求項２】
請求項１に記載の情報保護シートにおいて、
前記封緘手段は、水分で活性化する再湿糊層であり、
前記開封手段は、前記基材の一部であって、前記封緘手段よりも内側に設けられた開封予定線であること、
を特徴とする情報保護シート。
【請求項３】
請求項１に記載の情報保護シートにおいて、
前記封緘手段は、水分で活性化する再湿糊層であり、
前記開封手段は、前記基材の一部であって、少なくとも前記再湿糊層と対向する部分又は少なくとも前記再湿糊層の下層部分に設けられた剥離層であること、
を特徴とする情報保護シート。
【請求項４】
請求項３に記載の情報保護シートにおいて、
前記剥離層は、不連続に設けられていること、
を特徴とする情報保護シート。
【請求項５】
請求項１に記載の情報保護シートにおいて、
前記封緘手段は、水分で活性化する再湿糊層であり、
前記開封手段は、前記再湿糊層に微粒子を含ませて再剥離可能にした前記再湿糊層であること、
を特徴とする情報保護シート。
【請求項６】
請求項１に記載の情報保護シートにおいて、
前記封緘手段及び前記開封手段は、再剥離再貼付粘着剤層であること、
を特徴とする情報保護シート。
【請求項７】
請求項６に記載の情報保護シートにおいて、
前記再剥離再貼付粘着剤層を保護する保護シートを備え、
前記保護シートは、前記再剥離再貼付粘着剤層を表出させずに前記基材の一部を表出させるカット線を備えること、
を特徴とする情報保護シート。
【請求項８】
請求項７に記載の情報保護シートにおいて、
前記保護シートは、前記カット線によって前記保護シートの一部がめくり上がることを防止するめくり上がり防止部を備えること、
を特徴とする情報保護シート。
【請求項９】
請求項１から請求項８までのいずれか１項に記載の情報保護シートにおいて、
前記基材上に配置され、この情報保護シートの使用方法を表示する表示部を有するガイドシートを備えること、
を特徴とする情報保護シート。
【請求項１０】
請求項９に記載の情報保護シートにおいて、
前記ガイドシートは、透明又は半透明であること、
を特徴とする情報保護シート。
【請求項１１】
請求項９又は請求項１０に記載の情報保護シートにおいて、
前記ガイドシートは、少なくとも前記再湿糊層と対向する部分に剥離層を備えること、
を特徴とする情報保護シート。
【請求項１２】
請求項９から請求項１１までのいずれか１項に記載の情報保護シートにおいて、
前記基材は、１つの前記ガイドシートに対して、複数重ね合わされていること、
を特徴とする情報保護シート。
【請求項１３】
請求項３から請求項１２までのいずれか１項に記載の情報保護シートにおいて、
前記基材は、折り線を備え、
前記折り線は、前記基材の中央からずらして設けられていること、
を特徴とする情報保護シート。
【発明の詳細な説明】
【技術分野】
【０００１】
本発明は、商品注文用紙などに好適に利用できる情報保護シートに関するものである。
【背景技術】
【０００２】
図５は、従来の商品注文用紙の一例を示す図であり、図６は、従来の商品注文用紙の他の一例を示す図である。
従来の商品注文用紙２００は、図５（Ａ）に示すように、３つのハガキ２０を有するＡ４サイズの用紙２１と、ハガキ２０の下側（図中では、右側）に設けられた再剥離再貼付糊２５と、再剥離再貼付糊２５を保護する保護紙２６と、ハガキ２０の左側に、ライン状の糊ｐによって丁合されたＦＡＸ注文書兼申込封書２８などとを備える。
【０００３】
申込者は、図５（Ｂ）に示すように、この商品注文用紙２００からハガキ２０を切り取り、記入面に必要事項を記入し、保護紙２６を剥がし、図５（Ｃ）に示すように、記入内容（例えば、クレジットカード番号）を隠蔽してポストに投函していた。
【０００４】
一般に、ハガキは、郵送料金が安価であるというメリットを有するものの、反面、サイズが限られ、記入面が多いと書きにくく、また、受取側（業者側）でも読み取りにくい。
ハガキの両面を利用すれば、宛名面を除いて、片面の１．５倍程度の面積を活用できるようになるものの、記入面が両面に分離することから、受取側の事務作業は行いにくくなってしまう。
【０００５】
また、市販の親展ハガキのような見開き面を記入面とするハガキは、ハガキと封書との郵便料金差ほどではないにせよ、やはり大きなコストアップとなり、実用的ではない。
というのも、例えば、通信販売の場合、申込者は、カタログ発行部数のうちの数パーセントに限定されるからである。すべてのカタログに添付する必要のある申込ハガキのコストアップは、費用面からみても、かなり厳しいものとなる。
【０００６】
そこで、以上の状況を改善するためには、ハガキではなく、組立て式の封書とする方法が最適である。
申込用紙の単価を抑えつつ、レスポンスのあった申込者の郵便料金だけがアップするのであれば、実売上が向上する中で、必要な経費として捉えられるからである。
とは言え、組立て式の封書は、申込側からするとかなり面倒な作業が必要になる。一般的なクレジットカード申込用紙では、ハサミや糊、セロハンテープなどが必要になる場合があり、この時点で申込意欲が削がれる場合も多い。
つまり、より簡便な組立て式が望まれ、この場合は、図６に示すような商品注文用紙２００Ａが最も簡便である。
この商品注文用紙２００Ａは、４つの封書２０Ａを有する用紙２１と、封書２０Ａの右半分にコの字状に設けられた再湿糊２３と、封書２０Ａの表面に設けられた記入面２２などとを備える。
【０００７】
申込者は、図６（Ｂ）に示すように、商品注文用紙２００Ａから封書２０Ａを切り取り、記入面２２に必要事項を記入し、図６（Ｃ）に示すように、周縁部の再湿糊２３を湿らせてから、２つ折りし、ポストに投函する。
このような再湿糊２３を利用したものは、従来より存在している技術であり、実績もあるが（例えば、特許文献１）、受取側では、通常、３辺をカッターなどで切り落とす必要が生じるため、開封作業が大変面倒となる可能性があった。
【特許文献１】特開２００２−０８６９５９号公報
【発明の開示】
【発明が解決しようとする課題】
【０００８】
本発明の課題は、簡便な組立て式でありながら、開封作業も行いやすい情報保護シートを提供することである。
【課題を解決するための手段】
【０００９】
本発明は、以下のような解決手段により、前記課題を解決する。なお、理解を容易にするために、本発明の実施例に対応する符号を付して説明するが、これに限定されるものではない。
請求項１の発明は、秘匿情報欄（１２）を有する基材（１１）と、前記基材（１１）の周縁部の一部又は全部に設けられ、前記秘匿情報欄（１２）を内部に隠蔽するように折り畳まれた前記基材（１１）を封緘する封緘手段と、前記基材（１１）及び／又は前記封緘手段に設けられ、この情報保護シートを開封する開封手段と、を備える情報保護シートである。
請求項２の発明は、請求項１に記載の情報保護シートにおいて、前記封緘手段は、水分で活性化する再湿糊層（１３）であり、前記開封手段は、前記基材（１１）の一部であって、前記封緘手段よりも内側に設けられた開封予定線（ｍｃ３）であること、を特徴とする情報保護シートである。
請求項３の発明は、請求項１に記載の情報保護シートにおいて、前記封緘手段は、水分で活性化する再湿糊層（１３）であり、前記開封手段は、前記基材（１１）の一部であって、少なくとも前記再湿糊層（１３）と対向する部分又は少なくとも前記再湿糊層（１３）の下層部分に設けられた剥離層（１４）であること、を特徴とする情報保護シートである。
請求項４の発明は、請求項３に記載の情報保護シートにおいて、前記剥離層（１４）は、不連続に設けられていること、を特徴とする情報保護シートである。
請求項５の発明は、請求項１に記載の情報保護シートにおいて、前記封緘手段は、水分で活性化する再湿糊層（１３）であり、前記開封手段は、前記再湿糊層（１３）に微粒子を含ませて再剥離可能にした前記再湿糊層（１３）であること、を特徴とする情報保護シートである。
請求項６の発明は、請求項１に記載の情報保護シートにおいて、前記封緘手段及び前記開封手段は、再剥離再貼付粘着剤層（１５）であること、を特徴とする情報保護シートである。
請求項７の発明は、請求項６に記載の情報保護シートにおいて、前記再剥離再貼付粘着剤層（１５）を保護する保護シート（１６）を備え、前記保護シート（１６）は、前記再剥離再貼付粘着剤層（１５）を表出させずに前記基材（１１）の一部を表出させるカット線（１７）を備えること、を特徴とする情報保護シートである。
請求項８の発明は、請求項７に記載の情報保護シートにおいて、前記保護シート（１６）は、前記カット線（１７）によって前記保護シート（１６）の一部がめくり上がることを防止するめくり上がり防止部を備えること、を特徴とする情報保護シートである。
請求項９の発明は、請求項１から請求項８までのいずれか１項に記載の情報保護シートにおいて、前記基材（１１）上に配置され、この情報保護シート（１０Ｃ）の使用方法を表示する表示部（１８）を有するガイドシート（１９）を備えること、を特徴とする情報保護シートである。
請求項１０の発明は、請求項９に記載の情報保護シートにおいて、前記ガイドシート（１９）は、透明又は半透明であること、を特徴とする情報保護シートである。
請求項１１の発明は、請求項９又は請求項１０に記載の情報保護シートにおいて、前記ガイドシート（１９）は、少なくとも前記再湿糊層（１３）と対向する部分に剥離層を備えること、を特徴とする情報保護シートである。
請求項１２の発明は、請求項９から請求項１１までのいずれか１項に記載の情報保護シートにおいて、前記基材（１１）は、１つの前記ガイドシート（１９）に対して、複数重ね合わされていること、を特徴とする情報保護シートである。
請求項１３の発明は、請求項３から請求項１２までのいずれか１項に記載の情報保護シートにおいて、前記基材（１１）は、折り線（ｍｃ２）を備え、前記折り線（ｍｃ２）は、前記基材（１１）の中央からずらして設けられていること、を特徴とする情報保護シートである。
【発明の効果】
【００１０】
本発明によれば、基材の周縁部の一部又は全部に封緘手段を設けることによって、基材を折り畳んで簡単に封緘することができ、また、基材及び／又は封緘手段に開封手段を設けることによって、封緘部分をカッターなどで切り落としたり、無理やり剥がしたりせずに、簡単に開封することができる。
一方、基材上に、使用方法を表示するガイドシートを配置することによって、基材に使用方法を表示する必要がなくなり、情報保護シートを小さく設計しても、記入などを行いやすい情報保護シートとすることができる。
また、ガイドシートを透明又は半透明にすることによって、下側の基材が透けて見え、秘匿情報欄などとリンクさせたデザインとすることができる。
【発明を実施するための最良の形態】
【００１１】
本発明は、簡便な組立て式でありながら、開封作業も行いやすい情報保護シートを提供するという目的を、基材の周縁部にコの字状の再湿糊を設け、その再湿糊よりも内側に開封用ミシン目を設けることにより実現する。
【実施例１】
【００１２】
以下、図面等を参照して、本発明の実施例について、さらに詳しく説明する。
図１は、本発明による情報保護シートの実施例１を示す図である。
実施例１の商品注文用紙１００は、図１（Ａ）に示すように、切取ミシン目ｍｃ１によって切り取り可能な４つの封書（情報保護シート）１０を備える。
この商品注文用紙１００は、そのまま又は一部を切り取ってＦＡＸ用紙として使用でき、１つ１つの封書１０としても使用でき、使用形態は、申込者が任意に選択することができる。
また、この商品注文用紙１００は、実際には、複数枚が中央部分で綴じ合わされて製本されるものであり、周縁部のドブｄは、製本断裁時に廃棄される。
【００１３】
各封書１０は、商品申込書であって、図１（Ｂ）に示すように、基材１１と、基材１１の表面に設けられ、必要事項を記入するための記入面（秘匿情報欄）１２と、基材１１の右半分の周縁部にコの字状に設けられ、水分で活性化する再湿糊（再湿糊層、封緘手段）１３と、基材１１の中央付近の天辺から地辺までに設けられ、封書１０を２つ折りするための折りミシン目（折り線）ｍｃ２と、基材１１の一部であって、再湿糊１３よりも内側に設けられ、この封書１０を開封する開封用ミシン目（開封予定線、開封手段）ｍｃ３などとを備え、２つ折りした状態で、１０．０ｃｍ×１４．８ｃｍ程度の第１種郵便物となるものである。
【００１４】
そして、この商品注文用紙１００を使用する場合には、まず、図１（Ｂ）に示すように、商品注文用紙１００から封書１０を切り取り、記入面１２に必要事項を記入する。
ついで、図１（Ｃ）に示すように、記入面１２を内部に隠蔽するように２つ折りし、水で湿らせた再湿糊１３で封緘し、このままポストに投函する。
受取側では、３辺を開封用ミシン目ｍｃ３に沿って開封し、記入面１２の内容を確認する。
【００１５】
このように、実施例１によれば、基材１１の周縁部に再湿糊１３を設けることによって、基材１１を２つ折りして簡単に封緘することができる。
また、基材１１に開封用ミシン目ｍｃ３を設けることによって、受取側では、再湿糊１３で封緘した部分をカッターなどで切り落としたり、無理やり剥がしたりせずに、簡単に開封することができる。
さらに、再湿糊１３を用いているので、使用するまでは、べたつきがなく、また、再湿糊１３を保護するシートなどは不要であり、厚みが均一かつ薄めとなり、ＦＡＸ用の申込書としても好適である。
【実施例２】
【００１６】
図２は、本発明による情報保護シートの実施例２を示す図である。
なお、前述した実施例１と同様な機能を果たす部分には、同一の符号又は末尾に統一した符号を付して、重複する説明や図面を適宜省略する。
実施例２の封書１０Ａは、実施例１の開封用ミシン目ｍｃ３をなくしたタイプのものである。開封手段としての開封用ミシン目ｍｃ３がなくなるので、新たな開封手段を設ける必要があるが、その方法は、以下の２つが挙げられる。
【００１７】
１つ目の方法としては、基材１１の一部であって、再湿糊１３と対向する部分（対向面）に、開封手段としての剥離層１４を設ける方法である。
また、この剥離層１４は、剥離インキを塗布して形成するものであるが、接着する部分を有しつつも剥がしやすくするために、剥離インキを斜線状に塗布したり（図中Ａ部分）、剥離インキを格子状に塗布したりして（図中Ｂ部分）、不連続に設けることが望ましい。
【００１８】
２つ目の方法としては、剥離層１４は設けずに、再湿糊１３に５μｍ程度の微粒子を添加することによって（図中Ｃ部分）、再湿糊１３自体を再剥離可能な再湿糊１３とする方法である。
【００１９】
いずれの方法も、再湿糊１３で接着した部分は、再剥離可能となるので、受取側では、端部から見開いて開封することができる。
【００２０】
このように、実施例２によれば、剥離層や微粒子によって剥離可能な再湿糊１３とすることができ、実施例１の開封用ミシン目ｍｃ３での開封と比較して、開封性が劇的に向上する。
また、実施例１の開封用ミシン目ｍｃ３をなくすことによって、基材１１の強度低下を最小限に抑え、ＦＡＸの通紙適性を向上させることができる。
さらに、剥離層１４は、複雑なパターンであっても、オフセット印刷によって、簡単に形成可能である。
【実施例３】
【００２１】
図３は、本発明による情報保護シートの実施例３を示す図である。
実施例３の封書１０Ｂは、実施例１、２の再湿糊１３が、封緘手段及び開封手段を兼用する再剥離再貼付糊（再剥離再貼付粘着剤層）１５に変わり、その再剥離再貼付糊１５は、保護紙（保護シート）１６によって保護されている。
また、保護紙１６は、再剥離再貼付糊１５を表出させずに記入面１２を表出させるカット線１７と、そのカット線１７によって保護紙１６の中央部分がめくり上がることを防止する０．５ｍｍ程度のアンカット部（めくり上がり防止部：図中Ａ部分）を備える。
【００２２】
そして、この商品注文用紙１００Ｂを使用する場合には、まず、図３（Ｂ）に示すように、商品注文用紙１００Ｂから封書１０Ｂを切り取り、アンカット部を切りながら保護紙１６の中央部分をめくり、記入面１２に必要事項を記入する。
ついで、図３（Ｃ）に示すように、周縁部の保護紙１６を剥がし、記入面１２を内部に隠蔽するように２つ折りし、再剥離再貼付糊１５で封緘して、このままポストに投函する。
受取側では、端部から開封し、記入面１２の内容を確認する。
【００２３】
このように、実施例３によれば、封緘手段と開封手段とを兼用する再剥離再貼付糊１５を用いることによって、封書作製の手間や、開封時の事務処理の手間を軽減することができる。
また、再剥離再貼付糊１５は、コの字状に設けられているので、再剥離再貼付糊１５を用いた従来のハガキ（図５参照）よりも、多くの情報スペースを確保できるメリットがある。
さらに、アンカット部によって、保護紙１６が不用意にめくり上がることを防止でき、また、カット線１７によって、段階的に保護紙１６を剥がせるので、記入時のべたつきがない。
【実施例４】
【００２４】
図４は、本発明による情報保護シートの実施例４を示す図である。
実施例４の封書１０Ｃは、実施例２の封書１０Ａと近いタイプのものであり、基材１１上に、記入面１２の記入案内（使用方法）を表示するふきだしマーク（表示部）１８を有する半透明のガイド用紙（ガイドシート）１９が配置されている。
記入面１２には、４つの記入欄があり、上から順に、住所名前記入欄１２ａ、支払方法記入欄１２ｂ、届け先記入欄１２ｃ、商品番号記入欄１２ｄとなっている。
ふきだしマーク１８も、各記入欄に対応して４つあり、上から順に、「この欄にはご注文主のご住所とお名前をご記入ください。」、「この欄にはお支払方法をご記入ください。」、「この欄にはお届け先をご記入ください。」、「この欄にはご注文商品番号をご記入ください。」などといった文字が印刷されている。
【００２５】
また、ガイド用紙１９は、封書１０Ｃではなく、商品注文用紙１００Ｃに、ライン状の糊ｐによって丁合されており、切取ミシン目ｍｃ１によって各封書１０Ｃを切り取っても、ガイド用紙１９は丁合されたままである。
さらに、商品注文用紙１００Ｃ（基材１１）は、１つのガイド用紙１９に対して、２枚貼り合わされている。なお、商品注文用紙１００Ｃは、２枚以上貼り合わせてもよい。
【００２６】
そして、記入面１２に必要事項を記入する場合には、ガイド用紙１９を見ながら、又は、ガイド用紙１９をめくったり、元に戻したりしながら、ガイド用紙１９のふきだしマーク１８の案内にしたがって、必要事項を記入する。
【００２７】
このように、実施例４によれば、記入時に申込者を案内するためのガイド用紙１９を１枚増設することで、封書１０Ｃ自体に記入案内を表示する必要がなく、封書１０Ｃを小さく設計しても、記入のしやすい封書１０Ｃとすることができる。
また、上述した各実施例のものと同様に、１回折り畳むだけで封筒とすることができるため、この封書１０Ｃを初めて見る申込者であっても、直感的に理解しやすいインターフェイスを備えている。
さらに、ガイド用紙１９は、半透明の用紙を使用しているため、各記入欄とリンクさせたデザインが可能であり、よりわかりやすくすることができ、しかも、環境対応にも考慮している。
さらにまた、商品注文用紙１００Ｃを複数枚貼り合わせているので、例えば、上側に配置された商品注文用紙１００Ｃを切り取って使用した後でも、ガイド用紙１９が半透明であるため、下側の商品注文用紙１００Ｃに記入する際にも、同様に使用することができる。
【００２８】
（変形例）
以上説明した実施例に限定されることなく、種々の変形や変更が可能であって、それらも本発明の均等の範囲内である。
（１）開封予定線は、開封用ミシン目ｍｃ３の例で説明したが、ジッパー形状のミシン目や、マイクロミシン目などとしてもよい。ジッパー形状のミシン目の場合には、開封性がより向上し、マイクロミシン目の場合には、折り曲げて開封可能である。
また、開封予定線は、再湿糊１３側のみに設ける例で説明したが、基材１１の両側に設けて、開封しやすくしてもよい。
（２）実施例２、３、４において、折りミシン目ｍｃ２は、基材１１の中央からずらして設けるようにしてもよい。このようにすれば、基材１１がずれて２つ折りされるので、開封代が自然と形成され、受取側での開封作業がより簡便となる。
【００２９】
（３）実施例２、４において、剥離層１４は、再湿糊１３と対向する部分に設ける例で説明したが、再湿糊１３の下層に、その再湿糊１３よりもやや大きなサイズの剥離層を設けてもよい。このようにすれば、反対側の逆コの字状の剥離層１４は不要となり、封緘時には、基材１１と再湿糊１３とが直接接着するようになるので、再湿糊１３の湿らせ方（貼り合せ方）で剥離力が大きく変わらなくなるメリットがある。
（４）実施例４において、ガイド用紙１９の幅を広げ、そのガイド用紙１９の裏面の再湿糊１３と接触する部分（再湿糊１３と対向する部分）に剥離層を設けてもよい。このようにすれば、本来であれば完全に乾燥させなくては、ブロッキング（基材同士が互いに接着する現象）によって製造不良が起こってしまう再湿糊の塗布であるが、剥離層を設けることによって、ある程度の乾燥で製造が可能となるため、生産速度がアップし、結果として、コストダウン、製造能力アップにつながる。
（５）実施例４において、商品注文用紙１００の右側（外側）にのみ封書があるような場合には、ガイド用紙１９は、透明又は半透明にしなくてもよい。
（６）実施例４において、ガイド用紙１９は、記入面１２の記入案内を表示する例で説明したが、申込に関しての注意事項や、封書の組立て方法などを表示してもよい。
【図面の簡単な説明】
【００３０】
【図１】本発明による情報保護シートの実施例１を示す図である。
【図２】本発明による情報保護シートの実施例２を示す図である。
【図３】本発明による情報保護シートの実施例３を示す図である。
【図４】本発明による情報保護シートの実施例４を示す図である。
【図５】従来の商品注文用紙の一例を示す図である。
【図６】従来の商品注文用紙の他の一例を示す図である。
【符号の説明】
【００３１】
１０、１０Ａ、１０Ｂ、１０Ｃ  封書（情報保護シート）
１１  基材
１２  記入面（秘匿情報欄）
１３  再湿糊（再湿糊層、封緘手段）
１４  剥離層（開封手段）
１５  再剥離再貼付糊（再剥離再貼付粘着剤層）
１６  保護紙（保護シート）
１７  カット線
１８  ふきだしマーク（表示部）
１９  ガイド用紙（ガイドシート）
２０  ハガキ
２０Ａ  封書
２１  用紙
２２  記入面
２３  再湿糊
２５  再剥離再貼付糊
２６  保護紙
２８  ＦＡＸ注文書兼申込封書
１００、１００Ａ、１００Ｂ、１００Ｃ、２００、２００Ａ  商品注文用紙
ｄ  ドブ
ｍｃ１  切取ミシン目
ｍｃ２  折りミシン目（折り線）
ｍｃ３  開封用ミシン目（開封予定線、開封手段）
ｐ  ライン状の糊
【図１】
2006272944.tif 000003
【図２】
2006272944.tif 000004
【図３】
2006272944.tif 000005
【図４】
2006272944.tif 000006
【図５】
2006272944.tif 000007
【図６】
2006272944.tif 000008